(57)【要約】【課題】組立作業が容易で、しかも、パネル厚の変更にもある程度対応できる汎用性のある経済的な建築用サイドパネルを提供する。【解決手段】上，下枠１ａ，１ｂの溝７に、パネル材４ａの周囲四辺に方形の枠体４ｂが固定されて成る複数枚の枠付きパネル４をスライド自在に嵌め込み、上，下枠１ａ，１ｂの長手方向両端部間に連結された端面縦枠２の溝１９に、両端の枠付きパネル４，４の縦枠材を嵌め込み、前記端面縦枠２の溝１９の一側縁に形成されたパネル受け部１８と当該端面縦枠２の内部に設けられたパネル係止金具２３とで前記縦枠材を挟持して固定し、上，下枠１ａ，１ｂの長手方向中間部間で且つ上，下枠１ａ，１ｂの溝７の両側に設けられた中間縦枠３ａ，３ｂで、枠付きパネル４，４の隣り合う縦枠材を挟持して固定するように構成する。【選択図】        図２
2004256993.tif 000002
【特許請求の範囲】
【請求項１】
上，下枠の溝に、パネル材の周囲四辺に方形の枠体が固定されて成る複数枚の枠付きパネルをスライド自在に嵌め込み、上，下枠の長手方向両端部間に連結された端面縦枠の溝に、両端の枠付きパネルの縦枠材を嵌め込み、前記端面縦枠の溝の一側縁に形成されたパネル受け部と当該端面縦枠の内部に設けられたパネル係止金具とで前記縦枠材を挟持して固定し、上，下枠の長手方向中間部間で且つ上，下枠の溝の両側に設けられた中間縦枠で、枠付きパネルの隣り合う縦枠材を挟持して固定するように構成したことを特徴とする建築用サイドパネル。
【請求項２】
請求項１に記載の建築用サイドパネルであって、前記端面縦枠が、端面縦板部と、その両側辺から同方向へ略直角に折れ曲がった両側板部と、両側板部の先端から内側へ略直角に折れ曲がり且つ前記端面縦板部より幅狭の第１折曲板部及び第２折曲板部と、第２折曲板部の先端から内側へ略直角に折れ曲がったパネル受け部とで構成され、前記パネル係止金具が、前記第１，第２折曲板部間に形成される溝の幅と同程度の幅を有し且つ前記端面縦板部の裏面に対向する縦板部と、その両側辺から同方向へ略直角に折れ曲がった第１側板部及びそれより幅狭の第２側板部と、第１側板部の先端から外側へ略直角に折り返されて前記第１折曲板部の裏面に対向する第１屈曲板部と、第２側板部の先端から外側へ略直角に折り返された第２屈曲板部と、その先端から略直角に折り返されて前記パネル受け部側の側板部に対向し且つ上下方向に間隔をあけて複数のねじ孔が形成された第３側板部とから構成され、前記パネル受け部側の側板部の外側から当該側板部に形成された貫通孔を通して挿入したボルトを前記ねじ孔にねじ込むことにより、前記パネル係止金具を前記パネル受け部側に引き寄せるように構成したことを特徴とする建築用サイドパネル。
【請求項３】
請求項１に記載の建築用サイドパネルであって、前記端面縦枠が、端面縦板部と、その両側辺から同方向へ略直角に折れ曲がった両側板部と、両側板部の先端から内側へ略直角に折れ曲がり且つ前記端面縦板部より幅狭の第１折曲板部及び第２折曲板部と、第２折曲板部の先端から内側へ略直角に折れ曲がったパネル受け部とで構成され、前記パネル係止金具が、前記第１，第２折曲板部間に形成される溝の幅より幅広で且つ前記端面縦板部の裏面に対向する縦板部と、その両側辺から同方向へ略直角に折れ曲がった第１側板部及び上下方向に間隔をあけて複数のねじ孔が形成された第２側板部と、第１側板部の先端から外側へ略直角に折り返されて前記第１折曲板部の裏面に対向する第１屈曲板部とから構成され、前記パネル受け部側の側板部の外側から当該側板部に形成された貫通孔を通して挿入したボルトを前記ねじ孔にねじ込むことにより、前記パネル係止金具を前記パネル受け部側に引き寄せるように構成したことを特徴とする建築用サイドパネル。
【請求項４】
請求項２又は３に記載の建築用サイドパネルであって、前記パネル係止金具が上，下枠に達する長さに形成されていることを特徴とする建築用サイドパネル。
【請求項５】
請求項１〜４の何れかに記載の建築用サイドパネルであって、横板部とその両端から略直角に折れ曲がり且つねじ孔が形成された一対の垂直板部とから成る複数の中間縦枠取付金具を、前記上枠の下面と下枠の上面に、夫々、前記横板部が上，下枠の溝を横切り且つ前記垂直板部が互いに対向する状態に取り付け、前記ねじ孔に対向する貫通孔が形成された縦板部と、その両側辺から略直角に折れ曲がった両側板部と、それらの先端から内側へ略直角に折れ曲がった鍔板部とから成る中間縦枠を、前記貫通孔を通して挿入したボルトを前記ねじ孔にねじ込むことにより、両側の中間縦枠の鍔板部で枠付きパネルの隣り合う縦枠材を挟持するように構成したことを特徴とする建築用サイドパネル。
【請求項６】
請求項１〜５の何れかに記載の建築用サイドパネルであって、前記枠付きパネルにおける下側の横枠材の両端部下面に、下枠の溝の底面と摺接する低摩擦部材を装着したことを特徴とする建築用サイドパネル。
【発明の詳細な説明】
【０００１】
【発明の属する技術分野】
本発明は、例えば駐車場の屋根を支持する柱等に取り付けて、横方向からの風雨や風雪の吹き込みを防止すべく使用される建築用サイドパネルに関するものである。
【０００２】
【従来の技術】
【非特許文献１】
カタログ「ヨドガレージ・カーポ・倉庫」株式会社淀川製鋼所、２００２年７月発行（第１５頁）
【０００３】
従来、この種の建築用サイドパネルは、図１２に示すように、相対向する上，下枠ａ，ｂに形成された溝ｃにアクリル板等からなるパネルｄの上下両辺部を嵌め込み、パネルｄと溝ｃとの隙間をビードｅ，ｆで埋めるように構成されていたので、次の点で改良の余地があった。
【０００４】
▲１▼予め、溝ｃの一側縁にビードｅを嵌着しておき、上，下枠ａ，ｂの長手方向の一端側からパネルｄをスライドさせて溝ｃに嵌め込み、溝ｃの一側縁とパネルｄとの隙間にビードｆを押し込むといった手順で組み立てるので、パネルｄをスライドさせて溝ｃに嵌め込む際、ビードｅが不測に外れないように注意を払う必要があり、また、ビードｅ，ｆが差し込みにくい場合、ビードｅ，ｆに中性洗剤を塗布して滑りを良くしたり、ぬるま湯で暖めて軟らかくするといった工夫が必要で、建築用サイドパネルの購入者にとっては、組立作業がかなり面倒であった。
▲２▼使用可能なパネルｄの厚みが溝ｃの幅によって制限されることになり、汎用性がないため、例えば、木質のラチス材とその周囲四辺に固着された方形の縁材とで形成されたラチスパネルのような、厚さの異なるパネルを使用するためには、溝の幅が異なる上，下枠を製造する必要があり、パネルの厚みに対応する多品種を製造しなければならず、不経済であった。
【０００５】
【発明が解決しようとする課題】
上記の現状に鑑み、本発明は、組立作業が容易で、しかも、パネル厚の変更にもある程度対応できる汎用性のある経済的な建築用サイドパネルを提供するものである。
【０００６】
【課題を解決するための手段】
上記の課題を解決するために、本発明が講じた技術手段が次の通りである。即ち、請求項１に記載の発明では、上，下枠の溝に、パネル材の周囲四辺に方形の枠体が固定されて成る複数枚の枠付きパネルをスライド自在に嵌め込み、上，下枠の長手方向両端部間に連結された端面縦枠の溝に、両端の枠付きパネルの縦枠材を嵌め込み、前記端面縦枠の溝の一側縁に形成されたパネル受け部と当該端面縦枠の内部に設けられたパネル係止金具とで前記縦枠材を挟持して固定し、上，下枠の長手方向中間部間で且つ上，下枠の溝の両側に設けられた中間縦枠で、枠付きパネルの隣り合う縦枠材を挟持して固定するように構成している。
【０００７】
上記の構成によれば、上，下枠の溝に嵌め込むパネルとして、予め、パネル材の周囲四辺に方形の枠体が固定されて成る枠付きパネルを使用しているので、たとえアクリルパネルやパンチングパネルのようにビードを必要とするパネルであっても、作業に不慣れな建築用サイドパネルの購入者サイドでは、ビードの差し込みを行う必要がなくなり、組立作業が容易である。
【０００８】
しかも、上，下枠の溝にスライド自在に嵌め込んだ枠付きパネルの縦枠材を端面縦枠の溝に嵌め込み、当該端面縦枠の溝の一側縁に形成されたパネル受け部と端面縦枠の内部に設けられたパネル係止金具とで前記縦枠材を挟持して固定し、上，下枠の溝の両側に設けられた中間縦枠で、枠付きパネルの隣り合う縦枠材を挟持して固定するので、枠付きパネルの厚さ（枠体の厚さ）が上，下枠の溝の幅より薄くても、パネル受け部とパネル係止金具とによる挟持、両側の中間縦枠による挟持により、ガタツキのない状態にしっかりと固定できる。
【０００９】
従って、上，下枠に形成する溝の幅が一定であるにもかかわらず、溝幅の範囲内で厚さ（枠体の厚さ）の異なる枠付きパネルを使用できることになり、ある程度の汎用性が得られるので、経済的である。
【００１０】
また、枠付きパネルの厚さ（枠体の厚さ）が上，下枠の溝の幅より薄くても、ガタツキのない状態にしっかりと固定できるので、枠付きパネルの厚さ（枠体の厚さ）を上，下枠の溝幅より若干薄くしておくことにより、上，下枠の溝に嵌め込む際、円滑にスライドさせることができることになり、この点でも、組立作業が容易である。
【００１１】
請求項２に記載の発明は、上記の建築用サイドパネルにおいて、前記端面縦枠が、端面縦板部と、その両側辺から同方向へ略直角に折れ曲がった両側板部と、両側板部の先端から内側へ略直角に折れ曲がり且つ前記端面縦板部より幅狭の第１折曲板部及び第２折曲板部と、第２折曲板部の先端から内側へ略直角に折れ曲がったパネル受け部とで構成され、前記パネル係止金具が、前記第１，第２折曲板部間に形成される溝の幅と同程度の幅を有し且つ前記端面縦板部の裏面に対向する縦板部と、その両側辺から同方向へ略直角に折れ曲がった第１側板部及びそれより幅狭の第２側板部と、第１側板部の先端から外側へ略直角に折り返されて前記第１折曲板部の裏面に対向する第１屈曲板部と、第２側板部の先端から外側へ略直角に折り返された第２屈曲板部と、その先端から略直角に折り返されて前記パネル受け部側の側板部に対向し且つ上下方向に間隔をあけて複数のねじ孔が形成された第３側板部とから構成され、前記パネル受け部側の側板部の外側から当該側板部に形成された貫通孔を通して挿入したボルトを前記ねじ孔にねじ込むことにより、前記パネル係止金具を前記パネル受け部側に引き寄せるように構成したことを特徴としている。
【００１２】
請求項３に記載の発明は、前記パネル係止金具の断面形状を簡略化したものであり、上記の建築用サイドパネルにおいて、前記端面縦枠が、端面縦板部と、その両側辺から同方向へ略直角に折れ曲がった両側板部と、両側板部の先端から内側へ略直角に折れ曲がり且つ前記端面縦板部より幅狭の第１折曲板部及び第２折曲板部と、第２折曲板部の先端から内側へ略直角に折れ曲がったパネル受け部とで構成され、前記パネル係止金具が、前記第１，第２折曲板部間に形成される溝の幅より幅広で且つ前記端面縦板部の裏面に対向する縦板部と、その両側辺から同方向へ略直角に折れ曲がった第１側板部及び上下方向に間隔をあけて複数のねじ孔が形成された第２側板部と、第１側板部の先端から外側へ略直角に折り返されて前記第１折曲板部の裏面に対向する第１屈曲板部とから構成され、前記パネル受け部側の側板部の外側から当該側板部に形成された貫通孔を通して挿入したボルトを前記ねじ孔にねじ込むことにより、前記パネル係止金具を前記パネル受け部側に引き寄せるように構成したことを特徴としている。
【００１３】
請求項２，３に記載した発明の構成によれば、ボルトをパネル係止金具のねじ孔に軽くねじ込んで、パネル係止金具を端面縦枠に仮固定しておき、枠付きパネルの縦枠材を端面縦枠の溝に嵌め込んだ状態で、前記ボルトをさらにねじ込むことにより、パネル係止金具が前記パネル受け部側に引き寄せられ、枠付きパネルの縦枠材がパネル係止金具の第１側板部によってパネル受け部側に引き寄せられ、第１側板部とパネル受け部とで挟持されて、しっかりと固定されることになる。そして、枠付きパネルの縦枠材が引き寄せられることにより、端面縦枠の溝の側縁（第１折曲板部の先端）と枠付きパネルの縦枠材との間に隙間が生じるが、第１折曲板部の裏面には、第１側板部の先端から折り返された第１屈曲板部が対向しているので、上記の隙間を視覚的に隠蔽することができ、美麗な外観を確保できることになる。
【００１４】
殊に、請求項４に記載の発明のように、前記パネル係止金具が上，下枠に達する長さに形成されていると、パネル係止金具で端面縦枠に作用する鉛直荷重の一部を負担することができ、端面縦枠の補強部材としても機能するので、端面縦枠の材料の板厚が薄くても、特別な補強部材が不要になり、部材の兼用化による構造の簡略化と低コスト化を図り得る利点がある。
【００１５】
請求項５に記載の発明は、請求項１〜４の何れかに記載の建築用サイドパネルにおいて、横板部とその両端から略直角に折れ曲がり且つねじ孔が形成された一対の垂直板部とから成る複数の中間縦枠取付金具を、前記上枠の下面と下枠の上面に、夫々、前記横板部が上，下枠の溝を横切り且つ前記垂直板部が互いに対向する状態に取り付け、前記ねじ孔に対向する貫通孔が形成された縦板部と、その両側辺から略直角に折れ曲がった両側板部と、それらの先端から内側へ略直角に折れ曲がった鍔板部とから成る中間縦枠を、前記貫通孔を通して挿入したボルトを前記ねじ孔にねじ込むことにより、両側の中間縦枠の鍔板部で枠付きパネルの隣り合う縦枠材を挟持するように構成したことを特徴としている。
【００１６】
この構成によれば、上，下枠の溝に枠付きパネルをスライドさせて嵌め込んだ後、上，下枠に夫々中間縦枠取付金具を取り付け、次の枠付きパネルを上，下枠の溝にスライドさせて嵌め込み、しかる後、上下の中間縦枠取付金具に両側から中間縦枠をあてがい、両中間縦枠の縦板部に形成された貫通孔を通してボルトを中間縦枠取付金具の垂直板部のねじ孔にねじ込むことにより、両側の中間縦枠の鍔板部で枠付きパネルの隣り合う縦枠材を挟持し、しっかりと固定することができる。
【００１７】
この状態では、上下の中間縦枠取付金具や枠付きパネルの隣り合う縦枠材間の隙間（枠付きパネル同士の目地）を両側の中間縦枠で視覚的に隠蔽することができ、美麗な外観を確保できることになる。
【００１８】
尚、請求項６に記載の発明のように、請求項１〜５の何れかに記載の建築用サイドパネルにおいて、前記枠付きパネルにおける下側の横枠材の両端部下面に、下枠の溝の底面と摺接する低摩擦部材を装着することは、長尺の上，下枠に対する枠付きパネルのスライド操作を円滑にし、組立作業が一層容易になる点で、好ましい。
【００１９】
【発明の実施の形態】
図１において、Ａは、本発明に係る建築用サイドパネルの一例を示し、駐車場の屋根Ｂを支持する柱Ｃに取り付けて、横方向からの風雨や風雪の吹き込みを防止すべく使用される。この建築用サイドパネルＡは、相対向する上，下枠１ａ，１ｂと、上，下枠１ａ，１ｂの長手方向両端部間に連結された一対の端面縦枠２と、上，下枠１ａ，１ｂの長手方向中間部間に連結された中間縦枠３ａ，３ｂと、上，下枠１ａ，１ｂの溝に嵌め込まれた複数枚の枠付きパネル４とを備えている。前記中間縦枠３ａ，３ｂは、隣り合う枠付きパネル４の目地毎に配置されており、上，下枠１ａ，１ｂの溝の両側に相対向して設けられている。図２、図５に示す５は、上，下枠１ａ，１ｂの端部と端面縦枠２との隙間に圧入して、隙間を閉塞する合成樹脂製のキャップである。
【００２０】
前記枠付きパネル４は、図１に示すように、パネル材４ａと、その周囲四辺に固定された方形の枠体４ｂとで構成されている。パネル材４ａとしては、有色透明のアクリル板、アルミと合成樹脂の複合板や鋼板により作製された有孔板（パンチング板）、木質のラチス材（帯板を斜め格子状に連結したもの）等が使用される。枠体４ｂとしては、アルミ型材、木製角材等が使用され、これらはパネル材４ａの種類に応じて任意に選択できる。例えば、パネル材４ａが、アクリル板、アルミと合成樹脂の複合板や鋼板により作製された有孔板である場合、枠体４ｂとしては、アルミ型材や鋼板が使用されることが多く、パネル材４ａと枠体４ｂの隙間には、  図９に示すように、ビード４ｃが嵌め込まれる。枠付きパネル４における下側の横枠材の両端部下面には、図５、図９に示すように、枠付きパネ下枠１ｂの溝の底面と摺接する低摩擦部材（例えば、合成樹脂の成形品など）４ｄが付設されている。
【００２１】
上枠１ａと下枠１ｂは、上下に対称的（線対称）な断面形状であり、図３、図９に示すように、水平板部６ａと、その幅方向両端から同方向へ直角に折れ曲った側板部６ｂと、両側板部６ｂの先端から内側へ直角に折れ曲った折曲板部６ｃと、両折曲板部６ｃの先端から内側へ直角に折れ曲がった垂直板部６ｄとを有し、垂直板部６ｄ間に、前記枠付きパネル４をスライド自在に嵌め込むための溝７が形成されている。尚、下枠１ｂの水平板部６ａには、その長手方向両端側に、図７に示すように、水抜き用の長孔８が形成されている。
【００２２】
また、図３に示すように、上，下枠１ａ，１ｂの柱Ｃと対向する側の側板部６ｂには、その裏面側に複数のナット９がカシメ止めや溶接等の手段によって固着され、これらのナット９にねじ込んだ角形座金１０付きのボルト１１で、柱Ｃに予め取り付けられた固定金具１２に固定するように構成されている。具体的には、図３に示すように、前記固定金具１２には逆Ｔ字形の切欠き１３が形成されており、この切欠き１３に前記ボルト１１を上方から落とし込んで仮置きし、前記切欠き１３の水平長孔部分の範囲で、上，下枠１ａ，１ｂをその長手方向に位置調整することによって、柱Ｃの傾斜や間隔の誤差に起因する上，下枠１ａ，１ｂの端部位置のずれを無くし、しかる後、前記ボルト１１を締め込んで、上，下枠１ａ，１ｂを固定金具１２に固定するように構成されており、前記切欠き１３の水平長孔部分を前記角形座金１０で塞ぐように構成されている。
【００２３】
上，下枠１ａ，１ｂの長手方向両端に位置する２本の端面縦枠２は、互いに対称形であり、図７、図８の（Ａ），（Ｂ）に示すように、端面縦板部１４と、その両側辺から同方向へ略直角に折れ曲がった両側板部１５と、両側板部１５の先端から内側へ略直角に折れ曲がり且つ前記端面縦板部１４より幅狭の第１折曲板部１６及び第２折曲板部１７と、第２折曲板部１７の先端から内側へ略直角に折れ曲がったパネル受け部１８とで構成され、前記第１，第２折曲板部１６，１７間に前記枠付きパネル４の縦枠材を嵌め込むための溝１９が形成されている。パネル受け部１８側の側板部１５には、ボルト挿通用の貫通孔２０が上下に間隔をおいて複数（この例では３個）形成されている。また、端面縦枠２の上下両端部には、両側板部１５の裏面に夫々ナット２１がカシメ止めや溶接等の手段によって固着され、これらのナット２１にねじ込んだボルト２２で、上，下枠１ａ，１ｂと連結するように構成されている。
【００２４】
図２、図４、図６、図７に示す２３は、端面縦枠２の内部に設けられたパネル係止金具である。パネル係止金具２３は、図８の（Ａ），（Ｂ）に示すように、前記第１，第２折曲板部１６，１７間に形成される溝１９の幅と同程度の幅を有し且つ前記端面縦板部１４の裏面に対向する縦板部２３ａと、その両側辺から同方向へ略直角に折れ曲がった第１側板部２３ｂ及びそれより幅狭の第２側板部２３ｃと、第１側板部２３ｂの先端から外側へ略直角に折り返されて前記第１折曲板部１６の裏面に対向する第１屈曲板部２３ｄと、第２側板部２３ｃの先端から外側へ略直角に折り返された第２屈曲板部２３ｅと、その先端から略直角に折り返されて前記パネル受け部１８側の側板部１５に対向し且つ上下方向に間隔をあけて複数（この例では３個）のねじ孔２４が形成された第３側板部２３ｆとから構成され、前記パネル受け部１８側の側板部１５の外側から当該側板部１５に形成された貫通孔２５を通して挿入したボルト２６を前記ねじ孔２４にねじ込むことにより、前記パネル係止金具２３を前記パネル受け部１８側に引き寄せるように構成されている。
【００２５】
前記ねじ孔２４は、第３側板部２３ｆの裏面にカシメ止めや溶接等の手段によって固着されたナットによって形成されているが、バーリング加工によって形成してもよい。
【００２６】
前記中間縦枠３ａ，３ｂは、図９に示すように、縦板部２７と、その両側辺から略直角に折れ曲がった両側板部２８と、それらの先端から内側へ略直角に折れ曲がった鍔板部２９とから成り、縦板部２７には、上下両端部とその中間部に、後述する中間縦枠取付金具３０への取付け用ボルト３１を挿通するための貫通孔３２が形成されている。
【００２７】
前記中間縦枠取付金具３０は、横板部３０ａとその両端から略直角に折れ曲がり且つねじ孔３３が形成された一対の垂直板部３０ｂとから成り、横板部３０ａには、その両端寄りの二箇所に貫通孔３４が形成され、前記上枠１ａの下面と下枠１ｂの上面に、夫々、前記横板部３０ａが上，下枠１ａ，１ｂの溝７を横切り且つ前記垂直板部３０ｂが互いに上下に向かい合う状態にボルト・ナット等の止め具３５で取り付けるように構成されている。前記ねじ孔３３は、バーリング加工によって形成されているが、垂直板部３０ｂの裏面にカシメ止めや溶接等の手段によって固着したナットによって形成してもよい。
【００２８】
尚、上，下枠１ａ，１ｂ、端面縦枠２、中間縦枠３ａ，３ｂは、何れも鋼板を曲げ加工したものであるが、アルミ等で作製してもよい。
【００２９】
次に、上記建築用サイドパネルＡの組立手順を説明する。先ず、２本の柱Ｃの所定位置に前記固定金具１２をタッピングビス等の止め具３６で取り付け、上，下枠１ａ，１ｂのナット９には、予め前記角形座金１０付きのボルト１１を軽くねじ込んで装着しておく。これらのボルト１１の頭部側を前記固定金具１２の切欠き１３に嵌め込んで、上，下枠１ａ，１ｂを固定金具１２に仮固定し、この状態で、切欠き１３の水平長孔部分の範囲で、上，下枠１ａ，１ｂの位置調整を行った後、前記ボルト１１を本締めして、上，下枠１ａ，１ｂを固定金具１２に固定する。
【００３０】
予め、端面縦枠２とパネル係止金具２３とは、ボルト２６を前記ねじ孔２４にねじ込んで仮止めしておき、この状態で、一方の端面縦枠２を上，下枠１ａ，１ｂの長手方向一端部にボルト２２で連結する。
【００３１】
しかる後、上，下枠１ａ，１ｂの他端側から上，下枠１ａ，１ｂの溝７に枠付きパネル４をスライドさせて嵌め込み、その縦枠材を前記端面縦枠２の溝１９に嵌め込む。
【００３２】
この状態で、端面縦枠２とパネル係止金具２３の締付け操作を行い、枠付きパネル４の縦枠材をパネル係止金具２３と端面縦枠２のパネル受け部１８で挟持する。即ち、図８の（Ａ）に示すように、枠付きパネル４の縦枠材を端面縦枠２の溝１９に嵌め込んだ状態で、前記ボルト２６をさらにねじ込むことにより、パネル係止金具２３を前記パネル受け部１８側に引き寄せ、図８の（Ｂ）に示すように、枠付きパネル４の縦枠材をパネル係止金具２３の第１側板部２３ｂによってパネル受け部１８側に引き寄せる。これにより、枠付きパネル４の縦枠材は、第１側板部２３ｂとパネル受け部１８とで挟持されて、しっかりと固定されることになる。
【００３３】
この状態においては、枠付きパネル４の縦枠材が引き寄せられることにより、端面縦枠２の溝１９の側縁（第１折曲板部１６の先端）と枠付きパネル４の縦枠材との間に隙間が生じるが、第１折曲板部１６の裏面には、第１側板部２３ｂの先端から折り返された第１屈曲板部２３ｄが対向しているので、上記の隙間を視覚的に隠蔽することができ、美麗な外観を確保できることになる。
【００３４】
しかる後、中間縦枠取付金具３０を上，下枠１ａ，１ｂに取り付け、次の枠付きパネル４を上，下枠１ａ，１ｂの溝７に中間縦枠取付金具３０と当たる位置までスライドさせて嵌め込む。
【００３５】
次に、中間縦枠３ａ，３ｂを中間縦枠取付金具３０に取り付ける。即ち、中間縦枠３ａ，３ｂの貫通孔３２を通して挿入したボルト３１を中間縦枠取付金具３０のねじ孔３３にねじ込むことにより、図１０に示すように、両側の中間縦枠３ａ，３ｂの鍔板部２９で枠付きパネル４の隣り合う縦枠材を挟持する。これにより、枠付きパネル４の隣り合う縦枠材がしっかりと固定される。また、この状態では、上下の中間縦枠取付金具３０や枠付きパネル４の隣り合う縦枠材間の隙間（枠付きパネル４同士の目地）を両側の中間縦枠３ａ，３ｂで視覚的に隠蔽することができ、美麗な外観を確保できることになる。
【００３６】
尚、図示した実施の形態では、補強のために、中間縦枠３ａ，３ｂの上下方向中間部にも、中間縦枠取付金具３０を取り付け、両側の中間縦枠３ａ，３ｂ同士を連結するように構成している。この中間縦枠取付金具３０は、予め、一端側の垂直板部３０ｂを片側の中間縦枠３ａ（又は３ｂ）に固定する等して、次の枠付きパネル４を中間縦枠取付金具３０と当たる位置までスライドさせる前に、取り付ける必要がある。
【００３７】
上記の作業を繰り返し、最後の枠付きパネル４を上，下枠１ａ，１ｂの溝７に嵌め込んだら、他端の端面縦枠２を、予め、パネル係止金具２３を仮止めした状態で、上，下枠１ａ，１ｂの他端に連結すると共に、枠付きパネル４の縦枠材を当該端面縦枠２の溝１９に嵌め込み、この状態で、前記と同様に、端面縦枠２とパネル係止金具２３の締付け操作を行い、枠付きパネル４の縦枠材をパネル係止金具２３と端面縦枠２のパネル受け部１８で挟持して固定する。
【００３８】
上記の構成によれば、上，下枠１ａ，１ｂの溝７に嵌め込むパネルとして、予め、パネル材４ａの周囲四辺に方形の枠体４ｂが固定されて成る枠付きパネル４を使用しているので、たとえアクリルパネルやパンチングパネルのようにビード４ｃを必要とするパネルであっても、作業に不慣れな建築用サイドパネルの購入者サイドでは、ビード４ｃの差し込みを行う必要がなくなり、組立作業が容易である。
【００３９】
しかも、上，下枠１ａ，１ｂの溝７にスライド自在に嵌め込んだ枠付きパネル４の縦枠材を端面縦枠２の溝１９に嵌め込み、当該端面縦枠２の溝の一側縁に形成されたパネル受け部１８と端面縦枠２の内部に設けられたパネル係止金具２３とで前記縦枠材を挟持して固定し、上，下枠１ａ，１ｂの溝７の両側に設けられた中間縦枠３ａ，３ｂで、枠付きパネル４の隣り合う縦枠材を挟持して固定するので、枠付きパネル４の厚さ（枠体４ｂの厚さ）が上，下枠１ａ，１ｂの溝７の幅より薄くても、パネル受け部１８とパネル係止金具２３とによる挟持および両側の中間縦枠３ａ，３ｂによる挟持により、ガタツキのない状態にしっかりと固定できる。
【００４０】
従って、上，下枠１ａ，１ｂに形成する溝７の幅が一定であるにもかかわらず、溝幅の範囲内で厚さ（枠体の厚さ）の異なる枠付きパネル４を使用できることになり、ある程度の汎用性が得られるので、経済的である。
【００４１】
図１１は、本発明の他の実施形態を示し、前記パネル係止金具２３の断面形状を簡略化して、パネル係止金具２３の製造を安価に行えるようにした点に特徴がある。即ち、この実施形態では、前記パネル係止金具２３を、図１１の（Ａ），（Ｂ）に示すように、前記端面縦枠２の第１，第２折曲板部１６，１７間に形成される溝１９の幅より幅広で且つ前記端面縦板部１４の裏面に対向する縦板部２３ａと、その両側辺から同方向へ略直角に折れ曲がった第１側板部２３ｂ及び第２側板部２３ｃと、第１側板部２３ｂの先端から外側へ略直角に折り返されて前記第１折曲板部１６の裏面に対向する第１屈曲板部２３ｄとで形成すると共に、前記第２側板部２３ｃに、上下方向に間隔をあけて複数（例えば３個）のねじ孔２４を形成してある。
【００４２】
従って、前記パネル受け部１８側の側板部１５の外側から当該側板部１５に形成された貫通孔２５を通して挿入したボルト２６を第２側板部２３ｃのねじ孔２４にねじ込むことにより、前記パネル係止金具２３が前記パネル受け部１８側に引き寄せられるので、図１１の（Ｂ）に示すように、枠付きパネル４の縦枠材がパネル係止金具２３の第１側板部２３ｂによってパネル受け部１８側に引き寄せられ、第１側板部２３ｂとパネル受け部１８とで挟持されて、しっかりと固定されることになる。その他の構成、作用は、図８の（Ａ），（Ｂ）と同じであるため、同一構成部材に同一符号を付し、説明を省略する。
【００４３】
【発明の効果】
本発明は、上述した構成よりなり、組立作業が容易で、しかも、パネル厚の変更にもある程度対応できる汎用性のある経済的な建築用サイドパネルが得られる等の効果がある。
【図面の簡単な説明】
【図１】本発明に係る建築用サイドパネルの一例を示す斜視図である。
【図２】要部の分解斜視図である。
【図３】要部を拡大した分解斜視図である。
【図４】要部の横断平面図である。
【図５】要部の縦断側面図である。
【図６】要部の縦断側面図である。
【図７】要部の分解斜視図である。
【図８】作用を説明する要部の横断平面図である。
【図９】要部の分解斜視図である。
【図１０】作用を説明する要部の横断平面図である。
【図１１】他の実施形態を示す要部の横断平面図である。
【図１２】従来例の説明図である。
【符号の説明】
１ａ…上枠、１ｂ…下枠、２…端面縦枠、３ａ，３ｂ…中間縦枠、４…枠付きパネル、１８…パネル受け部、２３…パネル係止金具。
【図１】
2004256993.tif 000003
【図２】
2004256993.tif 000004
【図３】
2004256993.tif 000005
【図４】
2004256993.tif 000006
【図５】
2004256993.tif 000007
【図６】
2004256993.tif 000008
【図７】
2004256993.tif 000009
【図８】
2004256993.tif 000010
【図９】
2004256993.tif 000011
【図１０】
2004256993.tif 000012
【図１１】
2004256993.tif 000013
【図１２】
2004256993.tif 000014